(57)【要約】【課題】  診療情報統合ビューアが実装される医用端末において、ユーザビリティを担保しつつ診療情報に基づく診療画像に含まれる個人情報を匿名化すること。【解決手段】  実施形態によれば、医用情報処理装置は、被検体情報取得部と、決定部と、匿名化処理部と、制御部とを有する。被検体情報取得部は、表示対象となる画像の取得元である被検体を特定し、前記被検体に関する被検体情報を取得する。決定部は、前記画像の画像種別に応じて匿名化処理の処理方法を決定する。匿名化処理部は、被検体情報を使用して前記画像に付される匿名化対象を認識し、前記決定された処理方法に対応する匿名化処理を前記画像に施す。制御部は、前記匿名化処理が施された画像を表示部に表示させるよう制御する。【選択図】      図３
2020009105.tif 000002
【特許請求の範囲】
【請求項１】
表示対象となる画像の取得元である被検体を特定し、前記被検体に関する被検体情報を取得する被検体情報取得部と、
前記画像の画像種別に応じて匿名化処理の処理方法を決定する決定部と、
前記被検体情報を使用して前記画像に付される匿名化対象を認識し、前記決定された処理方法に対応する匿名化処理を前記画像に施す匿名化処理部と、
前記匿名化処理が施された画像を表示部に表示させるよう制御する制御部と、
を備える医用情報処理装置。
【請求項２】
前記匿名化処理部は、前記被検体情報を使用し、前記画像を画像認識することにより当該画像に埋め込まれている匿名化対象を認識する、
請求項１に記載の医用情報処理装置。
【請求項３】
前記決定部は、表示対象となる複数の画像について前記処理方法をそれぞれ決定し、
前記匿名化処理部は、前記複数の画像に対して、前記決定された処理方法で前記匿名化処理をそれぞれ施す、
請求項１又は２に記載の医用情報処理装置。
【請求項４】
前記匿名化処理部は、前記表示部が、事前登録されたネットワークに接続できない場合、又は、前記事前登録されたネットワークと異なるネットワークに接続されている場合に、
前記画像に対して前記匿名化処理を施す、
請求項1乃至３のうちいずれかに記載の医用情報処理装置。
【請求項５】
前記匿名化処理部は、前記表示部が位置する位置情報を取得し、取得した位置情報に基づく位置が、事前設定された位置の範囲内にない場合に、前記画像に対して前記匿名化処理を施す、
請求項1乃至３のうちいずれかに記載の医用情報処理装置。
【請求項６】
前記匿名化処理部は、前記画像をマスク処理により匿名化し、前記表示部に表示される前記画像のレイアウトが変更された場合に、前記マスク処理が施される位置を変更する、
請求項1乃至５のうちいずれかに記載の医用情報処理装置。
【請求項７】
前記匿名化処理部は、前記匿名化処理を施した複数の画像を１つの統合画像として出力する、
請求項３に記載の医用情報処理装置。
【請求項８】
前記被検体情報は、前記匿名化処理の要否を示す情報を含み、
前記匿名化処理部は、前記匿名化処理の要否を示す情報が前記前記匿名化処理が必要である旨を示す場合に、前記画像に対して前記匿名化処理を施す、
請求項1乃至７のうちいずれかに記載の医用情報処理装置。
【請求項９】
前記匿名化処理の要否を示す情報は、前記画像の用途に応じて設定され、
前記匿名化処理部は、指定された前記用途に応じて前記画像に対して前記匿名化処理を施すか否かを決定する、
請求項1乃至８のうちいずれかに記載の医用情報処理装置。
【請求項１０】
表示対象となる画像を表示する医用端末と、
前記画像に対して匿名化処理を施す医用サーバと
を備え、
前記医用サーバは、
表示対象となる画像の取得元である被検体を特定し、前記被検体に関する被検体情報を取得する被検体情報取得部と、
前記画像の画像種別に応じて匿名化処理の処理方法を決定する決定部と、
被検体情報を使用して前記画像に付される匿名化対象を認識し、前記決定された処理方法に対応する匿名化処理を前記画像に施す匿名化処理部と、
前記匿名化処理が施された画像を表示部に表示させるよう制御する制御部と、
を有する、
医用情報処理システム。
【請求項１１】
コンピュータに、
表示対象となる画像の取得元である被検体を特定し、前記被検体に関する被検体情報を取得する被検体情報取得機能と、
前記画像の画像種別に応じて匿名化処理の処理方法を決定する決定機能と、
被検体情報を使用して前記画像に付される匿名化対象を認識し、前記決定された処理方法に対応する匿名化処理を前記画像に施す匿名化処理機能と、
前記匿名化処理が施された画像を表示部に表示させるよう制御する制御機能と、
を実現させる医用情報処理プログラム。
【発明の詳細な説明】
【技術分野】
【０００１】
本発明の実施形態は、医用情報処理装置、医用情報処理システム、及び医用情報処理プログラムに関する。
【背景技術】
【０００２】
患者の診療情報を統合的に観察することが可能な診療情報統合ビューアが実装されている医用端末では、医師等のユーザは、医用端末に表示されている患者の診療情報を統合的に観察し、患者の診断及び治療等を行うことが可能である。患者の診療情報には、例えば、医用画像を表す医用画像データ、及び医用画像の読影により作成されるレポート情報等様々な種類の情報が含まれている。
【０００３】
ここで、患者の診療情報に含まれる医用画像データ、及びレポート情報には、例えば、院外には開示すべきでない患者個人を特定可能な個人情報、例えば医師名、患者ＩＤ、病院名及び受付番号の組合せ、並びに患者氏名、及び生年月日等を含む場合がある。この個人情報が医用端末に表示され、院外の関係者に見られてしまった場合、セキュリティの観点から問題である。一方、セキュリティ確保のために診療情報に含まれる個人情報を匿名化するのに、ユーザが何等かの操作をしなければならない等ユーザビリティが犠牲となるのはユーザにとって好ましくない。また、タブレット端末等を利用したアクセスの簡便さを匿名化処理により損なわないようにする必要がある。
【先行技術文献】
【特許文献】
【０００４】
【特許文献１】特開２００８−２９５９２８号公報
【発明の概要】
【発明が解決しようとする課題】
【０００５】
本発明が解決しようとする課題は、診療情報統合ビューアが実装される医用端末において、ユーザビリティを担保しつつ診療情報に基づく診療画像に含まれる個人情報を匿名化することにある。
【課題を解決するための手段】
【０００６】
実施形態によれば、医用情報処理装置は、被検体情報取得部と、決定部と、匿名化処理部と、制御部とを有する。被検体情報取得部は、表示対象となる画像の取得元である被検体を特定し、前記被検体に関する被検体情報を取得する。決定部は、前記画像の画像種別に応じて匿名化処理の処理方法を決定する。匿名化処理部は、被検体情報を使用して前記画像に付される匿名化対象を認識し、前記決定された処理方法に対応する匿名化処理を前記画像に施す。制御部は、前記匿名化処理が施された画像を表示部に表示させるよう制御する。
【図面の簡単な説明】
【０００７】
【図１】図１は、第１の実施形態に係る医用端末、及び医用サーバが含まれる医療情報システムを表すブロック図である。
【図２】図２は、図１に示される医用端末の機能構成を示すブロック図である。
【図３】図３は、図１に示される医用サーバの機能構成を示すブロック図である。
【図４】図４は、図２に示される医用端末が備える処理回路が実行する処理の流れを示すフローチャートである。
【図５】図５は、図３に示される医用サーバが備える処理回路が実行する処理の流れを示すフローチャートである。
【図６】図６は、図２に示される医用端末のディスプレイに表示される診療画面を示す図である。
【図７】図７は、図２に示される医用端末のディスプレイに表示されるレイアウト変更後の診療画面を示す図である。
【図８】図８は、変形例に係る医用サーバが備える処理回路が匿名化処理を実行する流れを示すフローチャートである。
【図９】図９は、第２の実施形態に係る医用端末、及び医用サーバが含まれる医療情報システムを表すブロック図である。
【図１０】図１０は、図９に示される医用端末の機能構成を示すブロック図である。
【図１１】図１１は、図１０に示される医用端末が備える処理回路が匿名化処理を実行する流れを示すフローチャートである。
【図１２】図１２は、他の実施形態において、図２に示される医用端末のディスプレイに表示される匿名化処理前の診療画面を示す図である。
【図１３】図１３は、他の実施形態において、図２に示される医用端末のディスプレイに表示される匿名化処理後の出力用の診療画面を示す図である。
【発明を実施するための形態】
【０００８】
以下、実施の形態について、図面を参照して説明する。
【０００９】
図１は、本実施形態に係る医用端末１、及び医用サーバ２が利用される環境の例を表すブロック図である。図１に示される医用端末１、及び医用サーバ２は、例えば、医用端末１がクライアント、医用サーバ２がサーバとして機能するクライアントサーバシステムを構成する。図１に示される医用端末１は、例えば、医療情報を統合的に観察することが可能な装置である。医用端末１には、例えば統合ビューアが実装されている。統合ビューアは医療情報を統合的にユーザに提示するアプリケーションである。統合ビューアは、Ｗｅｂアプリケーション、ファットクライアントアプリケーション、又は、シンクライアントアプリケーション等、いずれの実装形態を採用しても良い。図１に示される医用サーバ２は、医用端末１からの処理要求を受け付けて、受け付けた処理要求に対応する処理を実行する装置である。医用サーバ２には、医用端末１に実装された統合ビューアに対応する所定のサーバアプリケーションが実装されている。また、医用サーバ２は、特許請求の範囲に記載の医用情報処理装置の一例である。また、医用端末１、及び医用サーバ２は、特許請求の範囲に記載の医用情報処理システムの一例である。
【００１０】
医用端末１、及び医用サーバ２は、例えば、図１に示される医用画像管理システム（ＰＡＣＳ：Picture Archiving and Communication Systems）３、電子カルテシステム４、及びＶＮＡ（Vendor Neutral Archive）システム５と、ＬＡＮ（Local Area Network）等の病院内ネットワークを介して互いに通信可能に接続されている。
【００１１】
図１に示されるＰＡＣＳ３は、種々の医用画像ファイルを管理する。医用画像ファイルは、例えば、ＤＩＣＯＭ（Digital Imaging and Communication in Medicine）規格に準拠した形式のファイルである。この医用画像ファイルは、ＤＩＣＯＭデータと換言してもよい。医用画像ファイルは、患者を撮影等することにより検査を実施する医用画像診断装置により、検査の結果生成される医用画像を表す医用画像データに基づいて生成される。なお、医用画像診断装置は、例えばＸ線コンピュータ断層撮影装置、Ｘ線診断装置、磁気共鳴イメージング装置、核医学診断装置、及び超音波診断装置等を含む。
【００１２】
医用画像ファイルは、例えば、医用画像データ、及び、当該医用画像データを分類し、かつ、当該医用画像データの出自等を表す付帯情報を含む。医用画像ファイルにおける付帯情報には、例えば、検査ＵＩＤ、シリーズＵＩＤ、患者ＩＤ、患者氏名、生年月日、モダリティコード、シリーズＮＯ．、及びシリーズ記述等の医用画像を特定するための情報が含まれる。検査ＵＩＤは、検査を一意に特定可能な識別子である。シリーズＵＩＤは、例えば撮影部位毎又は撮影条件毎に取得される、一連の画像群を一意に特定可能な識別子である。患者ＩＤは、患者毎に付与され、例えば１つの病院内で患者を一意に特定するための識別子である。患者氏名は、患者ＩＤに対応する患者の氏名を表す。生年月日は、患者ＩＤに対応する患者の生年月日を表す。モダリティコードは、モダリティ種別を特定するための識別子であり、例えば「ＣＴ」、「ＭＲ」、及び「ＵＳ」等が規定されている。「ＣＴ」、「ＭＲ」、及び「ＵＳ」は、それぞれＸ線コンピュータ断層撮影装置、磁気共鳴イメージング装置、及び超音波診断装置で撮影された医用画像であることを意味する。シリーズＮＯ．は、例えば撮影部位毎又は撮影条件毎に取得される、一連の画像群を一意に特定可能な識別子である。シリーズＮＯ．は、例えば医療施設毎に規定される。シリーズ記述は、検査技師が検査時（撮影時）に医師に伝えておくべき特記事項がある場合にその内容を表すものである。
【００１３】
ＰＡＣＳ３は、例えば、種々の医用画像診断装置から送信された医用画像ファイル等を記憶する。
【００１４】
図１に示される電子カルテシステム４は、例えば、電子カルテに関する情報を管理する。電子カルテに関する情報には、例えば、患者情報及び診療情報が含まれる。患者情報は、患者固有の情報であり、例えば、患者ＩＤ、患者氏名、生年月日、性別、及び年齢等を含む。
【００１５】
診療情報は、診療の過程で、患者の身体状況、病状、及び治療等について、医療従事者が知り得た情報である。診療情報は、例えば、画像情報、検査履歴情報、心電図情報、バイタルサイン情報、薬歴情報、レポート情報、カルテ記載情報、及び看護記録情報等を含む。画像情報は、例えば、患者を撮影等することにより取得された医用画像の所在を表す情報である。画像情報には、例えば、検査が実施された結果医用画像診断装置により生成される医用画像ファイルの所在を表す情報が含まれる。検査履歴情報は、例えば、患者に対して検体検査、及び細菌検査等が行われた結果取得される検査結果の履歴を表す情報である。心電図情報は、例えば、患者から計測された心電図波形に関する情報である。バイタルサイン情報は、例えば、患者の生命に関わる基本的な情報である。バイタルサイン情報には、例えば、脈拍数、呼吸数、体温、血圧、及び意識レベル等が含まれる。薬歴情報は、例えば、患者に投与された薬剤の量の履歴を示す情報である。レポート情報は、例えば、診療科の診療医からの検査依頼に対して、放射線科の読影医がＸ線画像、ＣＴ画像、ＭＲＩ画像、及び超音波画像等の医用画像を読影し、患者の状態及び疾患についてまとめた情報である。レポート情報には、例えば、読影医がＰＡＣＳ３に記憶された医用画像ファイルを参照して作成された読影レポートを表す読影レポート情報が含まれる。レポート情報には、例えば、読影対象となる医用画像ファイルに対応する患者の患者ＩＤ、患者氏名、生年月日を表す情報が含まれる。カルテ記載情報は、例えば、診療医等により電子カルテに入力された情報である。カルテ記載情報には、例えば、入院時の診療記録、患者の病歴、及び薬の処方履歴等が含まれる。
【００１６】
看護記録情報は、例えば、看護師等により電子カルテに入力された情報である。看護記録情報には、入院時の看護記録等が含まれる。
【００１７】
図１に示されるＶＮＡシステム５は、異なるメーカー製のＰＡＣＳに保管されている医用画像ファイル、及び各臨床部門システムで管理されている多様な診療情報を一元的に管理する統合アーカイブシステムである。ＶＮＡシステム５は、例えば、ＰＡＣＳ３に記憶されている医用画像ファイルを定期的に取得し、ＶＮＡシステム５が備えるメモリに記憶する。また、ＶＮＡシステム５は、例えば、電子カルテシステム４に記憶されている電子カルテに関する情報を定期的に取得し、ＶＮＡシステム５が備えるメモリに記憶する。
【００１８】
次に、本実施形態に係る医用端末１、及び医用サーバ２の詳細について図２、及び図３を参照しながら説明する。図２は、図１に示される医用端末１の機能構成を示すブロック図である。図３は、図１に示される医用サーバ２の機能構成を示すブロック図である。
【００１９】
図２に示される医用端末１は、処理回路１１、入力インターフェース１２、ディスプレイ１３、メモリ１４、及び通信インターフェース１５を有する。処理回路１１、入力インターフェース１２、ディスプレイ１３、メモリ１４、及び通信インターフェース１５は、例えば、バスを介して互いに通信可能に接続されている。
【００２０】
処理回路１１は、医用端末１の中枢として機能するプロセッサである。処理回路１１は、例えばメモリ１４等に記憶されている制御プログラムを実行することにより、当該プログラムに対応する機能を実現する。
【００２１】
入力インターフェース１２は、例えば、マウス、キーボード、及び、操作面へ触れることで指示が入力されるタッチパネル等により実現される。入力インターフェース１２は、例えば、操作者からの表示指示を受け付ける。入力インターフェース１２は、操作者からの表示指示を電気信号へ変換し、電気信号を処理回路へ出力する。
【００２２】
ディスプレイ１３は、ユーザが各種業務を遂行するため種々の情報を表示する。ディスプレイとして１３は、例えば、ＣＲＴディスプレイ、液晶ディスプレイ、有機ＥＬディスプレイ、ＬＥＤディスプレイ、プラズマディスプレイ、及び当技術分野で知られている他の任意のディスプレイが適宜利用可能である。また、ディスプレイ１３は、特許請求の範囲に記載の表示部の一例である。
【００２３】
メモリ１４は、種々の情報を記憶するＨＤＤ（Hard Disk Drive）、ＳＳＤ（Solid State Drive）、及び集積回路記憶装置等の記憶装置である。また、メモリ１４は、ＣＤ−ＲＯＭドライブ、ＤＶＤドライブ、及びフラッシュメモリ等の可搬性記憶媒体との間で種々の情報を読み書きする駆動装置等であっても良い。メモリ１４は、例えば、処理回路１１が実行する種々の制御プログラムを記憶している。
【００２４】
通信インターフェース１５は、病院内ネットワークを介して接続された医用サーバ２、ＰＡＣＳ３、電子カルテシステム４、及びＶＮＡシステム５との間でデータ通信を行う。医用サーバ２、ＰＡＣＳ３、電子カルテシステム４、及びＶＮＡシステム５との通信の規格は、如何なる規格であっても良いが、例えば、ＨＬ７、ＤＩＣＯＭ、又はその両方等が挙げられる。
【００２５】
本実施形態に係る処理回路１１は、取得機能１１１、及び表示制御機能１１３を有する。
【００２６】
取得機能１１１は、例えば、ディスプレイ１３に表示されている診療画面を表す診療画面データを取得する機能である。取得機能１１１の実行により処理回路１１は、例えば、ディスプレイ１３に表示されている診療画面を表す診療画面データを取得する。診療画面データには、例えば、診療情報に基づく診療画像を表す診療画像データが少なくとも１つ含まれている。また、診療画面データには、例えば、診療画面のレイアウトを表すレイアウト情報が含まれている。処理回路１１は、取得した診療画面データを、通信インターフェース１５を介して、医用サーバ２へ送信する。
【００２７】
表示制御機能１１３は、各種診療情報に基づく診療画像を表示する機能である。表示制御機能１１３の実行により処理回路１１は、例えば、後述する医用サーバ２から送信された匿名化処理の実行結果に基づいて、各種診療情報に基づく診療画像を、診療情報毎にディスプレイ１３に表示する。また、処理回路１１は、例えば、各種診療情報に基づく診療画像を表示した後、入力インターフェース１２を介して各種表示要求を受け付ける。処理回路１１は、受け付けた各種表示要求に応じて、表示制御に関する各種機能を実行する。
【００２８】
取得機能１１１、及び表示制御機能１１３は、制御プログラムとして組み込まれていてもよいし、処理回路１１自体に各機能を実行可能な専用のハードウェア回路が組み込まれていてもよい。
【００２９】
第１の実施形態に係る医用サーバ２は、例えば、医用端末１からの指示に応じ、医用端末１のディスプレイに表示されている診療画面に含まれる各種画像に対する匿名化処理を実行する。図３は、図１に示される医用サーバ２の機能構成を示すブロック図である。図３に示される医用サーバ２は、通信インターフェース２１、メモリ２２、及び処理回路２３を有する。
【００３０】
通信インターフェース２１は、図１に示されるネットワーク等を介して接続された医用端末１、ＰＡＣＳ３、電子カルテシステム４、及びＶＮＡシステム５等の外部装置との間でデータ通信を行う。
【００３１】
メモリ２２は、種々の情報を記憶するＨＤＤ、ＳＳＤ、及び集積回路記憶装置等の記憶装置である。また、メモリ２２は、ＣＤ−ＲＯＭドライブ、ＤＶＤドライブ、及びフラッシュメモリ等の可搬性記憶媒体との間で種々の情報を読み書きする駆動装置等であっても良い。メモリ２２は、例えば、医用画像ファイル、及び診療情報等を記憶する。
【００３２】
処理回路２３は、医用サーバ２の中枢として機能するプロセッサである。また、処理回路２３は、メモリ２２から読み出した動作プログラムを実行することで、図３に示される各種機能を実現する。具体的には、処理回路２３は、取得機能２３１、決定機能２３２、及び匿名化処理機能２３３を有する。
【００３３】
取得機能２３１は、医用サーバ２から受信した診療画面データから、当該診療画面データに基づく診療画面に含まれる各診療画像に対応する画像関連情報を取得する機能である。取得機能２３１の実行により処理回路２３は、例えば、医用サーバ２から受信した診療画面データに含まれるレイアウト情報を参照し、当該診療画面データに基づく診療画面に含まれる各診療画像に対応する画像関連情報を取得する。画像関連情報には、例えば、当該診療画像を管理するデータの形式を表すデータフォーマット、並びに、当該診療画像データの所在を表す情報等が含まれている。
【００３４】
また、処理回路２３は、匿名化処理に用いるために、表示対象となる画像の取得元である被検体を特定可能な被検体情報を取得する。処理回路２３は、例えば、被検体情報を電子カルテシステム４又はＶＮＡシステム５から取得する。
【００３５】
決定機能２３２は、例えば、医用サーバ２から受信した診療画面データに基づく診療画面に含まれる各種画像の種類を表す画像種別を認識し、認識した画像種別に応じて匿名化処理の処理方法を決定する機能である。決定機能２３２の実行により処理回路２３は、例えば、取得機能２３１により取得された画像関連情報に含まれるデータフォーマットを参照し、当該画像種別を認識する。データフォーマットは、例えば、ファイルの拡張子等で表される。データフォーマットは、例えば、第１の形式と、第２の形式とが含まれる。第１の形式は、例えば、診療画像を表す診療画像データが、当該診療画像データに付帯する付帯情報を有し、当該付帯情報に個人情報が含まれるデータの形式を表す。付帯情報は、例えば、ＨＴＭＬ（Hyper Text Markup Language）タグ、ＸＭＬ（Extensible Markup Language）タグ、及びＤＩＣＯＭタグ等で表され、その内容が識別可能である。個人情報は、例えば、院外には開示すべきでない患者個人を特定可能な情報である。個人情報には、例えば医師名、患者ＩＤ、患者氏名、生年月日、担当医師名、並びに、病院名及び受付番号の組合せ等が含まれる。
【００３６】
第２の形式は、例えば、診療画像を表す診療画像データ自体に個人情報が埋め込まれているデータの形式を表す。
【００３７】
第１の形式に属するデータの例としては、ＤＩＣＯＭ規格に準拠した形式のＤＩＣＯＭデータ、及び患者の生体情報等を時系列の経時グラフで表示する形式のグラフデータ等が挙げられる。
【００３８】
第２の形式に属するデータの例としては、ＰＤＦ(Portable Document Format)データ、ＪＰＥＧ(Joint Photographic Experts Group)データ、ＭＰＥＧ(Moving Picture Experts Group)データ、及び診療医により作成された診療レポートを表すレポートデータ等が挙げられる。
【００３９】
処理回路１１は、例えば、データフォーマットが第１の形式に属するものであった場合、例えば非表示処理により匿名化処理を実行すると決定する。非表示処理とは、例えば、画像を表すデータに含まれる表示対象として認識される要素のうち個人情報を表す要素を表示対象から外すことである。非表示処理は、例えば、付帯情報に含まれる表示対象となる項目に対する表示設定のＯＮ／ＯＦＦの切替により、統合ビューアに含まれる非表示機能を用いて実現される。このように、第１の形式に属するデータは、付帯情報に含まれている個人情報が容易に識別可能であるため、非表示機能により個人情報の匿名化が可能となる。
【００４０】
また、処理回路１１は、例えば、データフォーマットが第２の形式に属するものであった場合、例えばマスク処理により匿名化処理を実行すると決定する。マスク処理とは、例えば、処理対象となる画像データに基づく画像に埋め込まれた個人情報が含まれる領域が隠れるように画像処理を行うことである。具体的には、例えば、処理対象となる診療画像データに基づく診療画像の所定の領域に含まれる個人情報が隠れるように、当該領域に対して所定のビット演算処理を施すことである。このように、第２の形式に属するデータは、個人情報が診療画像データに直接埋め込まれているため、診療画像の所定の領域に含まれる個人情報をマスク処理する必要がある。
【００４１】
匿名化処理機能２３３は、決定機能２３２により決定された匿名化処理の方法に従い、匿名化処理を実行する機能である。匿名化処理機能２３３が実行されると、処理回路２３は、決定された匿名化処理の方法に応じた匿名化処理に係る匿名化処理プログラムをメモリ２２から読み出す。処理回路２３は、読み出した匿名化処理プログラムを実行することにより、決定された匿名化処理の方法に応じた匿名化処理を実行する。例えば、処理回路２３は、決定された匿名化処理の方法に応じ、医用端末１から受信した診療画面データに基づく診療画面に含まれる各画像について匿名化処理を実行する。処理回路２３は、匿名化処理の実行結果を、通信インターフェース２１を介し、医用端末１へ送信する。
【００４２】
以上のように構成された医用端末１、及び医用サーバ２が匿名化処理を実行する動作を、図４、及び図５に示される処理手順に従い説明する。
【００４３】
以下の説明では、医用端末１のディスプレイ１３に表示される診療画面には、特定の患者に関する各種診療情報に基づく診療画像が表示されるものとする。また、医用端末１のディスプレイ１３に表示される診療画面を表す診療画面データには、６つの画像に関する各種データが含まれているものとする。また、診療画面データは、例えば、所定の表示指示に基づいて予め医用サーバ２により生成され、医用端末１に送信されているものとする。
【００４４】
具体的には、医用端末１のディスプレイ１３に表示される診療画面を表す診療画面データには、第１の形式に属するデータとして、ＤＩＣＯＭデータが２つ、ＥＣＧ（Electrocardiogram）の取得結果を時系列のグラフで表すＥＣＧグラフデータ、及び血糖値の取得結果を時系列のグラフで表す血糖値グラフデータが含まれているものとする。ＤＩＣＯＭデータは、例えば、画像情報に基づいて図１に示されるＰＡＣＳ４、又は、ＶＮＡシステム５から取得されるデータである。ＥＣＧグラフデータは、例えば心電図情報に基づいて取得されるデータである。血糖値グラフデータは、例えばバイタルサイン情報に基づいて取得されるデータである。
【００４５】
また、医用端末１のディスプレイ１３に表示される診療画面を表す診療画面データには、第２の形式に属するデータとして、ＪＰＥＧ形式の画像を表すＪＰＥＧデータ、及びレポート画像を表すレポートデータが含まれているものとする。ＪＰＥＧデータは、例えば、画像情報に基づいて取得されるデータである。レポートデータは、例えば、レポート情報に基づいて取得されるデータである。
【００４６】
診療画面データに含まれる２つのＤＩＣＯＭデータは、患者氏名、及び生年月日を含んでおり、この患者氏名、及び生年月日の初期表示設定がＯＮ、すなわちＤＩＣＯＭデータに基づくＤＩＣＯＭ画像とともに表示される設定になっているものとする。
【００４７】
また、診療画面データに含まれるＥＣＧグラフデータは、患者氏名、及び生年月日を含んでいるが、この患者氏名、及び生年月日の初期表示設定がＯＦＦ、すなわちＥＣＧグラフデータに基づくＥＣＧグラフとともに表示されない設定になっているものとする。
【００４８】
また、診療画面データに含まれる血糖値グラフデータは、患者氏名、及び生年月日を含んでおり、この患者氏名、及び生年月日の初期表示設定がＯＮ、すなわち血糖値グラフデータに基づく血糖値グラフとともに表示される設定になっているものとする。
【００４９】
診療画面データに含まれるＪＰＥＧデータには、患者氏名、及び生年月日を表す情報が埋め込まれているものとする。また、診療画面データに含まれるレポートデータには、患者氏名、及び生年月日を表す情報が埋め込まれているものとする。
【００５０】
そして、各データのデータフォーマットを表す拡張子は以下のとおりとする。すなわち、例えば、ＤＩＣＯＭデータの拡張子は「.dcm」、ＥＣＧグラフデータの拡張子は「.ecg」、血統値グラフデータの拡張子は「.graph」、レポートデータの拡張子は「.report」、ＪＰＥＧデータの拡張子は「.jpeg」であるものとする。さらに、処理回路２３は、各データの拡張子と、匿名化処理の方法との対応関係を表す対応情報を予め取得しているものとする。このとき、対応情報は、例えば、「.dcm」、「.ecg」、及び「.graph」の拡張子のデータは、非表示処理による匿名化処理がされることを表しているものとする。また、対応情報は、例えば、「.jpeg」、及び「.report」の拡張子のデータは、マスク処理による匿名化処理がされることを表しているものとする。
【００５１】
また、処理回路２３は、取得機能２３１を実行し、被検体情報を予め取得しているものとする。処理回路２３は、例えば、医用端末１から送信される表示対象となる各画像の表示指示をトリガとして、被検体情報を電子カルテシステム４又はＶＮＡシステム５から取得する。このとき、表示指示には、例えば、ユーザにより指定された特定の被検体を示す情報が含まれている。被検体情報には、その項目として、例えば、患者ＩＤ、患者氏名、及び生年月日等が含まれる。予め取得された被検体情報には、ＪＰＥＧデータに埋め込まれている患者氏名を表す文字列、及び生年月日を表す文字列と同一の患者氏名を表す文字列、及び生年月日を表す文字列がそれぞれ含まれているものとする。同一となる文字列の具体例は、例えば、患者氏名「山田  太郎」、生年月日「2010/4/30」である。また、予め取得された被検体情報には、レポートデータに埋め込まれている患者氏名を表す文字列、及び生年月日を表す文字列と同一の患者氏名を表す文字列、及び生年月日を表す文字列がそれぞれ含まれているものとする。同一となる文字列の具体例は、例えば、患者氏名「山田  太郎」、生年月日「2010/4/30」である。なお、本実施形態では、ディスプレイ１３には同一患者に関する診療情報が表示されるため、ＪＰＥＧデータに埋め込まれている患者氏名、及び生年月日と、レポートデータに埋め込まれている患者氏名、及び生年月日とは同一となる。
【００５２】
図４は、図２に示される医用端末１が備える処理回路１１が実行する処理の流れを示すフローチャートである。
【００５３】
図４において、処理回路１１は、例えば、入力インターフェース１２を介して匿名化処理の実行指示を受け付けると、ディスプレイ１３に表示されている診療画面を表す診療画面データを取得する（ステップＳＡ１）。診療画面データは、例えば、処理回路１１が内蔵するビデオメモリ等に保持されている。
【００５４】
処理回路１１は、取得した診療画面データを、例えば通信インターフェース１５を介して医用サーバ２へ送信する（ステップＳＡ２）。このとき、医用サーバ２は、医用端末１から送信される診療画面データに基づいて、各種匿名化処理を実行する。
【００５５】
図５は、図３に示される医用サーバ２が備える処理回路２３が実行する処理の流れを示すフローチャートである。
【００５６】
図５において、処理回路２３は、例えば、通信インターフェース２１を介して医用端末１から診療画面データを受信する（ステップＳＢ１）。このとき、診療画面データには、２つのＤＩＣＯＭデータ、ＥＣＧグラフデータ、血糖値グラフデータ、ＪＰＥＧデータ、及びレポートデータが含まれている。
【００５７】
処理回路２３は、医用サーバ２から受信した診療画面データに含まれるレイアウト情報を参照し、当該診療画面データに基づく診療画面に含まれる各画像に対応する画像関連情報を取得する（ステップＳＢ２）。これにより、６つの画像、具体的には、２つのＤＩＣＯＭ画像、ＥＣＧグラフ、血糖値グラフ、ＪＰＥＧ画像、及びレポート画像に対応する画像関連情報が取得される。
【００５８】
処理回路２３は、６つの画像に関する画像関連情報を取得した後、一の表示対象の画像に係る画像関連情報を読み出す（ステップＳＢ３）。以下の説明では、２つのＤＩＣＯＭ画像、ＥＣＧグラフ、血糖値グラフ、ＪＰＥＧ画像、及びレポート画像の順で匿名化処理が実行されるものとする。このとき、処理回路２３は、まず、１つ目のＤＩＣＯＭ画像に対応する画像関連情報を読み出す。
【００５９】
処理回路２３は、対応情報、及び読み出したＤＩＣＯＭ画像に対応する画像関連情報に含まれるデータフォーマットを参照し、当該画像に対して非表示処理を実行することが可能か否か判定する（ステップＳＢ４）。
【００６０】
処理回路２３は、例えば、読み出した画像関連情報に含まれるデータフォーマットを表す拡張子が「.dcm」であるため、非表示処理を実行することが可能であると判定し、非表示処理により匿名化処理を実行すると決定する（ステップＳＢ４のＹｅｓ）。そして、処理回路２３は、取得した被検体情報を使用し、当該画像に対する非表示処理を実行する（ステップＳＢ８）。具体的には、処理回路２３は、被検体情報に含まれる患者氏名、及び生年月日を検索キーとして、ＤＩＣＯＭタグに含まれる患者氏名、及び生年月日を特定する。処理回路２３は、例えば、特定した患者氏名に関する表示設定、及び生年月日に関する表示設定を参照する。そして、処理回路２３は、患者氏名に関する表示設定、及び生年月日に関する表示設定をそれぞれＯＮからＯＦＦに変更する。当該設定は、例えば、ステップＳＢ１において医用端末１から受信した診療画面データに対して反映される。
【００６１】
処理回路２３は、読み出した画像関連情報に対応するＤＩＣＯＭ画像について非表示処理を実行すると、受信した診療画面データに基づく診療画面において他に表示対象となる画像があるか否か判定する（ステップＳＢ９）。すなわち、処理回路２３は、ステップＳＢ２において取得した画像関連情報のうち、読み出していないものが他にあるか否か判定する。
【００６２】
処理回路２３は、読み出していない画像関連情報が他に５つあるため、他に表示対象となる画像があると判定し（ステップＳＢ９のＹｅｓ）、再び、一の表示対象の画像に係る画像関連情報を読み出す（ステップＳＢ３）。このとき、処理回路２３は、２つ目のＤＩＣＯＭ画像に対応する画像関連情報を読み出す。
【００６３】
処理回路２３は、１つ目のＤＩＣＯＭ画像についての処理と同様に、２つ目のＤＩＣＯＭ画像に対してステップＳＢ４、及びステップＳＢ８を実行する。
【００６４】
処理回路２３は、２つ目のＤＩＣＯＭ画像についてステップＳＢ８の非表示処理を実行すると、受信した診療画面データに基づく診療画面において他に表示対象となる画像があるか否か判定する（ステップＳＢ９）。
【００６５】
処理回路２３は、読み出していない画像関連情報が他に４つあるため、他に表示対象となる画像があると判定し（ステップＳＢ９のＹｅｓ）、再び、一の表示対象の画像に係る画像関連情報を読み出す（ステップＳＢ３）。このとき、処理回路２３は、ＥＣＧグラフに対応する画像関連情報を読み出す。
【００６６】
処理回路２３は、対応情報、及び読み出したＥＣＧグラフに対応する画像関連情報に含まれるデータフォーマットを参照し、当該画像に対して非表示処理を実行することが可能か否か判定する（ステップＳＢ４）。
【００６７】
処理回路２３は、例えば、読み出した画像関連情報に含まれるデータフォーマットを表す拡張子が「.ecg」であるため、非表示処理を実行することが可能であると判定し（ステップＳＢ４のＹｅｓ）、取得した被検体情報を使用し、当該画像に対する非表示処理を実行する（ステップＳＢ８）。具体的には、処理回路２３は、被検体情報に含まれる患者氏名、及び生年月日を検索キーとして、読み出した画像関連情報に含まれるＸＭＬタグに含まれる患者氏名、及び生年月日を特定する。処理回路２３は、例えば、特定した患者氏名に関する表示設定、及び生年月日に関する表示設定を参照する。このとき、診療画面データに含まれるＥＣＧグラフデータは、患者氏名、及び生年月日を含んでいるが、この患者氏名、及び生年月日の初期表示設定がＯＦＦになっているため、処理回路２３は、表示設定を変更しない。これにより、ＥＣＧグラフについての非表示処理の実行は終了する。
【００６８】
処理回路２３は、読み出した画像関連情報に対応するＥＣＧグラフについて非表示処理を実行すると、受信した診療画面データに基づく診療画面において他に表示対象となる画像があるか否か判定する（ステップＳＢ９）。
【００６９】
処理回路２３は、読み出していない画像関連情報が他に３つあるため、他に表示対象となる画像があると判定し（ステップＳＢ９のＹｅｓ）、再び、一の表示対象の画像に係る画像関連情報を読み出す（ステップＳＢ３）。このとき、処理回路２３は、血糖値グラフに対応する画像関連情報を読み出す。
【００７０】
処理回路２３は、対応情報、及び読み出した血糖値グラフに対応する画像関連情報に含まれるデータフォーマットを参照し、当該画像に対して非表示処理を実行することが可能か否か判定する（ステップＳＢ４）。
【００７１】
処理回路２３は、例えば、読み出した画像関連情報に含まれるデータフォーマットを表す拡張子が「.graph」であるため、非表示処理を実行することが可能であると判定し（ステップＳＢ４のＹｅｓ）、取得した被検体情報を使用し、当該画像に対する非表示処理を実行する（ステップＳＢ８）。具体的には、処理回路２３は、被検体情報に含まれる患者氏名、及び生年月日を検索キーとして、読み出した画像関連情報に含まれるＸＭＬタグに含まれる患者氏名、及び生年月日を特定する。処理回路２３は、例えば、特定した患者氏名に関する表示設定、及び生年月日に関する表示設定を参照する。そして、処理回路２３は、患者氏名に関する表示設定、及び生年月日に関する表示設定をそれぞれＯＮからＯＦＦに変更する。
【００７２】
処理回路２３は、読み出した画像関連情報に対応する血糖値グラフについて非表示処理を実行すると、受信した診療画面データに基づく診療画面において他に表示対象となる画像があるか否か判定する（ステップＳＢ９）。
【００７３】
処理回路２３は、読み出していない画像関連情報が他に２つあるため、他に表示対象となる画像があると判定し（ステップＳＢ９のＹｅｓ）、再び、一の表示対象の画像に係る画像関連情報を読み出す（ステップＳＢ３）。このとき、処理回路２３は、ＪＰＥＧ画像に対応する画像関連情報を読み出す。
【００７４】
処理回路２３は、対応情報、及び読み出したＪＰＥＧ画像に対応する画像関連情報に含まれるデータフォーマットを参照し、当該画像に対して非表示処理を実行することが可能か否か判定する（ステップＳＢ４）。
【００７５】
処理回路２３は、例えば、読み出した画像関連情報に含まれるデータフォーマットを表す拡張子が「.jpeg」であるため、非表示処理を実行することが可能でないと判定し、マスク処理により匿名化処理を実行すると決定する（ステップＳＢ４のＮｏ）。そして、処理回路２３は、ＪＰＥＧ画像に対するマスク処理を実行する。
【００７６】
まず、処理回路２３は、予め取得した被検体情報を使用し、マスク処理の対象となるＪＰＥＧ画像において、匿名化対象を探索する（ステップＳＢ５）。例えば、処理回路２３は、ＯＣＲ（Optical character recognition）技術を用いて、ＪＰＥＧ画像を画像認識することにより、匿名化対象となる文字列を探索する。具体的には、処理回路２３は、被検体情報に含まれる文字列と、ＪＰＥＧ画像を画像認識した結果取得される文字列とを比較する。処理回路２３は、例えば、比較対象となる文字列が一致した場合、当該ＪＰＥＧ画像を画像認識した結果取得される文字列を匿名化対象として認識する。処理回路２３は、被検体情報に含まれる患者氏名を表す文字列、及び生年月日を表す文字列が、ＪＰＥＧデータに埋め込まれている患者氏名を表す文字列、及び生年月日を表す文字列と一致するため、当該患者氏名を表す文字列、及び生年月日を表す文字列を匿名化対象として認識する。このように、被検体情報を使用することにより、ＯＣＲ技術を用いて画像認識した結果取得される文字列のうち、匿名化対象を必要十分なものに絞り込むことが可能となる。
【００７７】
続いて、処理回路２３は、認識した匿名化対象を含む隠すべき領域（以下、匿名化領域と称する）を示す座標の範囲を特定する（ステップＳＢ６）。座標は、例えば、ＪＰＥＧ画像の表示領域の所定の位置を基準とする相対座標で表される。処理回路２３は、特定した匿名化領域を示す座標の範囲を、例えばメモリ２２に記憶する。
【００７８】
処理回路２３は、ＪＰＥＧ画像の表示領域のうち、ステップＳＢ６で特定した座標の範囲についてマスク処理を実行する（ステップＳＢ７）。具体的には、処理回路２３は、ＪＰＥＧ画像の表示領域のうち、ステップＳＢ６で特定した座標の範囲が隠れるように、例えばＪＰＥＧ画像を表すＪＰＥＧデータに対して所定のビット演算処理を実行する。
【００７９】
処理回路２３は、読み出した画像関連情報に対応するＪＰＥＧ画像についてマスク処理を実行すると、受信した診療画面データに基づく診療画面において他に表示対象となる画像があるか否か判定する（ステップＳＢ９）。
【００８０】
処理回路２３は、読み出していない画像関連情報が他に１つあるため、他に表示対象となる画像があると判定し（ステップＳＢ９のＹｅｓ）、再び、一の表示対象の画像に係る画像関連情報を読み出す（ステップＳＢ３）。このとき、処理回路２３は、診療レポートの内容を表すレポート画像に対応する画像関連情報を読み出す。
【００８１】
処理回路２３は、対応情報、及び読み出したレポート画像に対応する画像関連情報に含まれるデータフォーマットを参照し、当該画像に対して非表示処理を実行することが可能か否か判定する（ステップＳＢ４）。
【００８２】
処理回路２３は、例えば、読み出した画像関連情報に含まれるデータフォーマットを表す拡張子が「.report」であるため、非表示処理を実行することが可能でないと判定し（ステップＳＢ４のＮｏ）、診療レポートに対するマスク処理を実行する。
【００８３】
まず、処理回路２３は、予め取得した被検体情報を使用し、マスク処理の対象となる診療レポートにおいて、匿名化対象を探索する（ステップＳＢ５）。例えば、処理回路２３は、ＯＣＲ技術を用いて、レポート画像を画像認識することにより、匿名化対象となる文字列を探索する。具体的には、処理回路２３は、被検体情報に含まれる文字列と、レポート画像を画像認識した結果取得される文字列とを比較する。処理回路２３は、例えば、比較対象となる文字列が一致した場合、当該レポート画像を画像認識した結果取得される文字列を匿名化対象として認識する。処理回路２３は、被検体情報に含まれる患者氏名を表す文字列、及び生年月日を表す文字列が、ＪＰＥＧデータに埋め込まれている患者氏名を表す文字列、及び生年月日を表す文字列と一致するため、当該患者氏名を表す文字列、及び生年月日を表す文字列を匿名化対象として認識する。
【００８４】
続いて、処理回路２３は、認識した匿名化領域を示す座標の範囲を特定する（ステップＳＢ６）。座標は、例えば、レポート画像の表示領域の所定の位置を基準とする相対座標で表される。処理回路２３は、特定した匿名化領域を示す座標の範囲を、例えばメモリ２２に記憶する。
【００８５】
処理回路２３は、レポート画像の表示領域のうち、ステップＳＢ６で特定した座標の範囲についてマスク処理を実行する（ステップＳＢ７）。具体的には、処理回路２３は、レポート画像の表示領域のうち、ステップＳＢ６で特定した座標の範囲が隠れるように、レポート画像を表すレポートデータに対して画像処理を実行する。
【００８６】
処理回路２３は、読み出した画像関連情報に対応するレポート画像についてマスク処理を実行すると、受信した診療画面データに基づく診療画面において他に表示対象となる画像があるか否か判定する（ステップＳＢ９）。
【００８７】
処理回路２３は、読み出していない画像関連情報がないため、他に表示対象となる画像がないと判定し（ステップＳＢ９のＮｏ）、各種匿名化処理が施された診療画面データを含む処理結果を、例えば通信インターフェース２１を介して医用端末１に送信する（ステップＳＢ１０）。
【００８８】
図４に戻って、医用端末１の処理回路１１は、図５に示されるステップＳＢ１０において医用サーバ２から送信された匿名化処理の処理結果を受信する（ステップＳＡ３）。匿名化処理の実行結果には、例えば、匿名化処理が施された診療画面データが含まれる。
【００８９】
処理回路１１は、医用サーバ２から受信した匿名化処理の実行結果に基づいて、ディスプレイ１３において診療画面を再表示する（ステップＳＡ４）。図６は、図２に示される医用端末１のディスプレイ１３に表示される診療画面の例を示す図である。
【００９０】
図６に示される診療画面は、診療情報表示領域Ｒ６を含む。図６に示される診療情報表示領域Ｒ６は、各種診療情報に基づく診療画像が表示される領域を含む。具体的には、図６に示される診療情報表示領域Ｒ６は、領域Ｒ６１、Ｒ６２、Ｒ６３、Ｒ６４、Ｒ６５、及びＲ６６を含む。領域Ｒ６１、Ｒ６２、Ｒ６３、Ｒ６４、Ｒ６５、及びＲ６６では、各種診療情報に基づく診療画像が、例えば、表示パネル、又はウインドウ等によりそれぞれ表示されている。領域Ｒ６１は、例えば、ＤＩＣＯＭデータに基づく１つ目のＤＩＣＯＭ画像が表示される領域である。領域Ｒ６２は、ＤＩＣＯＭデータに基づく２つ目のＤＩＣＯＭ画像が表示される領域である。領域Ｒ６３は、ＥＣＧグラフデータに基づくＥＣＧグラフが表示される領域である。領域Ｒ６４は、レポートデータに基づくレポート画像が表示される領域である。領域Ｒ６５は、ＪＰＥＧデータに基づくＪＰＥＧ画像が表示される領域である。領域Ｒ６６は、血糖値グラフデータに基づく血糖値グラフが表示される領域である。
【００９１】
図６によれば、領域６１に含まれる領域６１１は、本来患者氏名、及び生年月日が表示される領域であるが、領域６１に表示される１つ目のＤＩＣＯＭ画像に対して非表示処理が施されているため、患者氏名、及び生年月日は表示されていない。また、領域６２に含まれる領域６２１は、本来患者氏名、及び生年月日が表示される領域であるが、領域６２に表示される２つ目のＤＩＣＯＭ画像に対して非表示処理が施されているため、患者氏名、及び生年月日は表示されていない。
【００９２】
領域Ｒ６３に表示されるＥＣＧグラフでは、患者氏名、及び生年月日の初期表示設定がＯＦＦになっているため、患者氏名、及び生年月日は表示されていない。
【００９３】
領域Ｒ６４に含まれる領域Ｒ６４１は、例えば、図５に示されるステップＳＢ６でレポート画像について特定された匿名化領域を表している。領域Ｒ６４１は、レポート画像において患者氏名を表す文字列、及び生年月日を表す文字列が埋め込まれている領域であるが、マスク処理により、例えば当該領域に所定のビット演算処理が施され、マスクＭ６４が形成されている。このマスクＭ６４により、領域Ｒ６４１に含まれる患者氏名を表す文字列、及び生年月日を表す文字列を隠すことが可能となる。
【００９４】
領域Ｒ６５に含まれる領域Ｒ６５１は、例えば、図５に示されるステップＳＢ６でＪＰＥＧ画像について特定された匿名化領域を表している。領域Ｒ６５１は、レポート画像において患者氏名を表す文字列、及び生年月日を表す文字列が埋め込まれている領域であるが、マスク処理により、例えば当該領域に所定のビット演算処理が施され、マスクＭ６５が形成されている。このマスクＭ６５により、領域Ｒ６５１に含まれる患者氏名を表す文字列、及び生年月日を表す文字列を隠すことが可能となる。
【００９５】
領域Ｒ６６に含まれる領域Ｒ６６１は、本来患者氏名、及び生年月日が表示される領域であるが、領域Ｒ６６に表示される血糖値グラフに対して非表示処理が施されているため、患者氏名、及び生年月日は表示されていない。
【００９６】
このように、本実施形態に係る医用端末１、及び医用サーバ２によれば、画像種別に応じて当該画像に匿名化処理を施すことにより、正確かつ効率的に診療情報に基づく診療画像に含まれる個人情報を匿名化することが可能となる。
【００９７】
また、本実施形態に係る医用端末１、及び医用サーバ２は、例えば、医用端末１のディスプレイ１３に表示される診療情報の配置が変更された場合でも、各診療情報に対応する画像に対して追従する態様で匿名化処理を実行するようにしてもよい。例えば、医用サーバ２は、統合ビューアの動作中に、医用端末１に入力された診療情報の配置の変更指示に応じて、マスク処理を施す位置を変更することにより、匿名化された状態を維持する。具体的には、医用サーバ２は、変更指示に含まれる表示対象となる各画像の位置、及び当該各画像における匿名化領域を示す座標の範囲に基づいて、マスク処理を施す位置を変更する。匿名化領域を示す座標の範囲は、例えば、診療情報の配置の変更指示が入力される前にメモリ２２に記憶されている。なお、マスク処理を施す位置の変更は、医用端末１で行ってもよい。このとき、医用端末１は、匿名化領域を示す座標の範囲を、例えば、メモリ１４に予め記憶する。以下の説明では、図６に示される診療画面において、例えばユーザが入力インターフェース１２を介してディスプレイ１３に表示されている各診療情報の配置を変更する変更入力が行われるものとする。
【００９８】
変更入力は、例えば、図６に示される領域６６に表示されている血糖値グラフが図６に示される領域Ｒ６４に表示されるように診療情報の配置を変更する変更入力、図６に示される領域６４に表示されているレポート画像が図６に示される領域Ｒ６５に表示されるように診療情報の配置を変更する変更入力、及び図６に示される領域６５に表示されているＪＰＥＧ画像が図６に示される領域Ｒ６６に表示されるように診療情報の配置を変更する変更入力を含むものとする。
【００９９】
また、医用端末１、及び医用サーバ２は、この変更入力をトリガとして、図４に示されるフローチャートが表す処理、及び図５に示されるフローチャートが表す処理をそれぞれ実行するものとする。
【０１００】
図７は、図２に示される医用端末１のディスプレイ１３に表示されるレイアウト変更後の診療画面を示す図である。
【０１０１】
図７に示される診療画面は、図６に示される診療情報表示領域Ｒ６において、表示されている診療情報の配置の変更の入力が医用端末１で受け付けられ、配置の変更に応じて医用サーバ２により匿名化処理が施された後の診療画面データに基づく診療画面に含まれる各種診療情報を表している。
【０１０２】
図７に示される診療情報表示領域Ｒ６は、表示される診療情報の配置が変更された後の各種診療情報を表示する領域を含む。具体的には、図７に示される領域Ｒ６４には、診療情報の配置の変更入力により血糖値グラフデータについて匿名化処理が施された結果、図６に示される領域Ｒ６４に表示されていたレポートデータに基づくレポート画像ではなく、血糖値グラフデータに基づく血糖値グラフが表示されている。そして、図７に示される領域Ｒ６４に含まれる領域Ｒ６４１Ａは、本来患者氏名、及び生年月日が表示される領域であるが、図７に示される領域Ｒ６４に表示される血糖値グラフに対して非表示処理が施されているため、患者氏名、及び生年月日は表示されていない。
【０１０３】
また、図７に示される領域Ｒ６５には、診療情報の配置の変更入力によりレポートデータについて匿名化処理が施された結果、図６に示される領域Ｒ６５に表示されていたＪＰＥＧデータに基づくＪＰＥＧ画像ではなく、レポートデータに基づくレポート画像が表示されている。そして、図７に示される領域Ｒ６５に含まれる領域Ｒ６５１Ａは、例えば、図５に示されるステップＳＢ６でレポート画像について特定された匿名化領域を表している。領域Ｒ６５１Ａは、レポート画像において患者氏名を表す文字列、及び生年月日を表す文字列が埋め込まれている領域であるが、マスク処理により、例えば当該領域に所定のビット演算処理が施され、マスクＭ６５Ａが形成されている。このマスクＭ６５Ａにより、領域Ｒ６５１Ａに含まれる患者氏名を表す文字列、及び生年月日を表す文字列を隠すことが可能となる。
【０１０４】
また、図７に示される領域Ｒ６６には、診療情報の配置の変更入力によりＪＰＥＧデータについて匿名化処理が施された結果、図６に示される領域Ｒ６６に表示されていた血糖値グラフデータに基づく血糖値グラフではなく、ＪＰＥＧデータに基づくＪＰＥＧ画像が表示されている。そして、図７に示される領域Ｒ６６に含まれる領域Ｒ６６１Ａは、例えば、図５に示されるステップＳＢ６でＪＰＥＧ画像について特定された匿名化領域を表している。領域Ｒ６６１Ａは、ＪＰＥＧ画像において患者氏名を表す文字列、及び生年月日を表す文字列が埋め込まれている領域であるが、マスク処理により、例えば当該領域に所定のビット演算処理が施され、マスクＭ６６Ａが形成されている。このマスクＭ６６Ａにより、領域Ｒ６６１Ａに含まれる患者氏名を表す文字列、及び生年月日を表す文字列を隠すことが可能となる。
【０１０５】
このように、本実施形態に係る医用端末１、及び医用サーバ２によれば、統合ビューアの動作中に、マスク処理が施される位置を変更することにより、診療情報に基づく診療画像の配置の変更入力があった場合であっても、変更指示に応じて正確かつ効率的に診療情報に基づく診療画像に含まれる個人情報を匿名化することが可能となる。
【０１０６】
本実施形態によれば、医用サーバ２が備える処理回路２３は、表示対象となる画像の画像種別に応じて匿名化処理の処理方法を決定する。そして、処理回路２３は、画像に関する被検体情報を使用して前記画像に付される匿名化対象を認識し、決定した処理方法に対応する匿名化処理を当該画像に施す。
【０１０７】
これにより、例えば、診療ビューア動作中に、診療画面において表示対象となる画像の内容、及び配置に変更あった場合であっても、診療画面に表示される診療情報に基づく各画像に対してその都度適切な匿名化処理を行うことが可能となる。
【０１０８】
また、本実施形態によれば、医用サーバ２が備える処理回路２３は、被検体情報を使用し、マスク処理の対象となる画像を画像認識することにより当該画像に埋め込まれている匿名化対象を認識する。
【０１０９】
これにより、例えば、ＯＣＲ技術を用いて画像認識した結果取得される文字列のうち、匿名化対象を必要十分なものに絞り込むことができ、画像認識された結果取得される文字列に対して過剰にマスク処理が施されることを回避することが可能となる。
【０１１０】
（変形例）
上記実施形態では、医用サーバ２は、診療情報に基づく診療画像の配置の変更入力がされる毎に、マスク処理が必要な画像に対してマスク処理を施していたがこれに限定されない。変形例では、マスク処理が必要な画像に対し、当該画像にマスク処理が施されたマスク画像を表すマスク後画像データが生成され、当該マスク後画像データが生成された後は、マスク処理が施される前の画像と、マスク後画像データに基づく画像とが、必要に応じて切替表示される場合について説明する。以下では、医用サーバ２に係る処理回路２３が、マスク処理が必要な画像を含む診療画面データに対して、初回にマスク後画像データを生成する流れについてのみ説明する。
【０１１１】
変形例に係る医用端末１の構成及び機能は、図２に示される医用端末１の構成及び機能と同様である。変形例に係る医用サーバ２の構成及び機能は、図３に示される医用サーバ２の構成及び機能と同様である。
【０１１２】
図８は、変形例に係る医用サーバ２が備える処理回路２３が匿名化処理を実行する流れを示すフローチャートである。
【０１１３】
図８に示されるステップＳＣ１からステップＳＣ５までの処理は、図５に示されるステップＳＢ１からステップＳＢ５までの処理と同様である。また、図８に示されるステップＳＣ７、ＳＣ８、及びＳＣ９の処理は、図５に示されるステップＳＢ８、ＳＢ９、及びＳＢ１０の処理と同様である。以下、マスク処理が必要な画像について実行されるステップＳＣ６の内容について説明する。
【０１１４】
図８に示されるステップＳＣ６において、処理回路２３は、各種診療情報に基づく診療画像に直接変更を加え、新たなマスク後画像データを生成する。例えば、処理回路２３は、ＪＰＥＧ画像を表すＪＰＥＧデータに対して、ビット演算処理を直接施す。これにより、ＪＰＥＧ画像に関するマスク後画像データが生成される。生成されたマスク後画像データは、例えば、ステップＳＣ９において、処理結果に含まれて医用端末１に送信される。
【０１１５】
マスク後画像データを含む処理結果を受信した医用端末１では、例えば、匿名化のＯＮ・ＯＦＦの指示入力に応じて表示される画像を切り替えて表示することが可能となる。したがって、毎回匿名化処理を実行する必要がなくなり、医用サーバ２の処理負荷が軽減される。
【０１１６】
［他の実施形態］
上記実施形態では、図１に示される医用端末１、及び医用サーバ２は、例えば、医用端末１がクライアント、医用サーバ２がサーバとして機能するクライアントサーバシステムを構成していたがこれに限定されない。例えば、医用端末側で匿名化処理を実行するようにしてもよい。
【０１１７】
図９は、他の実施形態に係る医用端末１Ａが利用される環境の例を表すブロック図である。図９に示される医用端末１Ａは、例えば、医療情報を統合的に観察することが可能な装置である。医用端末１Ａには、例えば統合ビューアが実装されている。統合ビューアは医療情報を統合的にユーザに提示するアプリケーションである。統合ビューアは、Ｗｅｂアプリケーション、ファットクライアントアプリケーション、又は、シンクライアントアプリケーション等、いずれの実装形態を採用しても良い。また、医用端末１Ａは、特許請求の範囲に記載の医用情報処理装置の一例である。
【０１１８】
医用端末１Ａは、例えば、図９に示されるＰＡＣＳ３、電子カルテシステム４、及びＶＮＡシステム５と、ＬＡＮ等の病院内ネットワークを介して互いに通信可能に接続されている。
【０１１９】
図９に示されるＰＡＣＳ３、電子カルテシステム４、及びＶＮＡシステム５の構成及び機能は、図１に示されるＰＡＣＳ３、電子カルテシステム４、及びＶＮＡシステム５と同様である。
【０１２０】
次に、他の実施形態に係る医用端末１Ａの詳細について図１０を参照しながら説明する。図１０は、図９に示される医用端末１Ａの機能構成を示すブロック図である。
【０１２１】
図１０に示される医用端末１Ａは、処理回路１１Ａ、入力インターフェース１２、ディスプレイ１３、メモリ１４、及び通信インターフェース１５を有する。処理回路１１Ａ、入力インターフェース１２、ディスプレイ１３、メモリ１４、及び通信インターフェース１５は、例えば、バスを介して互いに通信可能に接続されている。
【０１２２】
処理回路１１Ａは、医用端末１Ａの中枢として機能するプロセッサである。処理回路１１Ａは、例えばメモリ１４等に記憶されている制御プログラムを実行することにより、当該プログラムに対応する機能を実現する。
【０１２３】
図１０に示される入力インターフェース１２、ディスプレイ１３、メモリ１４、及び通信インターフェース１５の構成及び機能は、図２に示される入力インターフェース１２、ディスプレイ１３、メモリ１４、及び通信インターフェース１５の構成及び機能と同様である。
【０１２４】
他の実施形態に係る処理回路１１Ａは、取得機能１１１Ａ、表示制御機能１１３、決定機能１１７、及び匿名化処理機能１１９を有する。
【０１２５】
図１０に示される取得機能１１１Ａは、図２に示される取得機能１１１の役割、及び図３に示される取得機能２３１の役割を合わせたものと同様である。図１０に示される表示制御機能１１３の役割は、図２に示される表示制御機能１１３の役割と同様である。また、図１０に示される決定機能１１７、及び匿名化処理機能１１９の役割は、図３に示される決定機能２３２、及び匿名化処理機能２３３の役割と同様である。
【０１２６】
以上のように構成された医用端末１Ａが匿名化処理を実行する動作を、図１１に示される処理手順に従い説明する。
【０１２７】
以下の説明では、医用端末１Ａのディスプレイ１３に表示される診療画面には、特定の患者に関する各種診療情報に基づく診療画像が表示されるものとする。また、医用端末１Ａのディスプレイ１３に表示される診療画面を表す診療画面データには、上記実施形態と同様の６つの画像に関する各種データが含まれているものとする。
【０１２８】
また、医用端末１Ａの処理回路１１Ａは、上記実施形態と同様に、取得機能１１１Ａを実行し、被検体情報を予め取得しているものとする。処理回路１１Ａは、例えば、入力インターフェース１２を介して入力される表示対象となる各画像の表示指示をトリガとして、被検体情報を電子カルテシステム４又はＶＮＡシステム５から取得する。
【０１２９】
図１１は、図１０に示される医用端末１Ａが備える処理回路１１Ａが匿名化処理を実行する流れを示すフローチャートである。
【０１３０】
図１１において、処理回路１１Ａは、例えば、入力インターフェース１２を介して匿名化処理の実行指示を受け付けると、ディスプレイ１３に表示されている診療画面を表す診療画面データを取得する（ステップＳＤ１）。診療画面データは、例えば、処理回路１１Ａが内蔵するビデオメモリ等に保持されている。
【０１３１】
処理回路１１Ａは、取得した診療画面データに含まれるレイアウト情報を参照し、当該診療画面データに基づく診療画面に含まれる各画像に対応する画像関連情報を取得する（ステップＳＤ２）。これにより、６つの画像、具体的には、２つのＤＩＣＯＭ画像、ＥＣＧグラフ、血糖値グラフ、ＪＰＥＧ画像、及びレポート画像に対応する画像関連情報が取得される。
【０１３２】
図１１に示されるステップＳＤ３からステップＳＤ９までの処理は、図５に示されるステップＳＢ３からステップＳＢ９までの処理と同様である。
【０１３３】
処理回路１１Ａは、匿名化処理の実行結果に基づいて、ディスプレイ１３において診療画面を再表示する（ステップＳＤ１０）。
【０１３４】
また、上記実施形態において、医用端末１、及び医用サーバ２は、特定の目的に応じた匿名化ルールに基づいて、例えば、医用端末１が備えるディスプレイ１３に表示されている一連の画像を匿名化処理した上で、当該匿名化した一連の画像を出力するようにしてもよい。
【０１３５】
図１２は、他の実施形態において、図２に示される医用端末１のディスプレイに表示される匿名化処理前の診療画面を示す図である。
【０１３６】
図１２に示される診療画面は、匿名化出力受付領域Ｒ１２０と、診療情報表示領域Ｒ１２とを含む。匿名化出力受付領域Ｒ１２０は、チェックボックス１２０１、及びプルダウンボックス１２０２を含む。チェックボックス１２０１は、例えば、診療情報表示領域Ｒ１２に表示されている診療画面の各画像に対して、匿名化処理を施すか否かを選択するためのＧＵＩ（Graphical User Interface）部品である。プルダウンボックス１２０２は、例えば、出力の種類をプルダウンメニューから選択させるためのＧＵＩ部品である。出力の種類には、例えば、学会に発表する際の出力形式を表す「学会用」、及び学生向けに授業を行う際の出力形式を表す「講義用」等が挙げられる。選択された出力の種類に応じて、例えば、匿名化のレベルが変更される。
【０１３７】
図１２に示される診療情報表示領域Ｒ１２は、各種診療情報に基づく診療画像を表示する領域を含む。具体的には、図１２に示される診療情報表示領域Ｒ１２は、領域Ｒ１２１、Ｒ１２２、Ｒ１２３、Ｒ１２４、Ｒ１２５、及びＲ１２６を含む。領域Ｒ１２１、Ｒ１２２、Ｒ１２３、Ｒ１２４、Ｒ１２５、及びＲ１２６では、各種診療情報に基づく診療画像が、例えば、表示パネル、又はウインドウ等によりそれぞれ表示されている。領域Ｒ１２１は、例えば、ＤＩＣＯＭデータに基づく１つ目のＤＩＣＯＭ画像が表示される領域である。領域Ｒ１２１に含まれる領域Ｒ１２１１には、１つ目のＤＩＣＯＭ画像に関する患者氏名、及び生年月日が表示されている。領域Ｒ１２２は、例えば、ＤＩＣＯＭデータに基づく２つ目のＤＩＣＯＭ画像が表示される領域である。領域Ｒ１２２に含まれる領域Ｒ１２２１には、２つ目のＤＩＣＯＭ画像に関する患者氏名、及び生年月日が表示されている。領域Ｒ１２３は、ＥＣＧグラフデータに基づくＥＣＧグラフが表示される領域である。領域Ｒ１２３には、ＥＣＧグラフに関する患者氏名、及び生年月日は表示されていない。領域Ｒ１２４は、レポートデータに基づくレポート画像が表示される領域である。領域Ｒ１２４に含まれる領域Ｒ１２４１には、レポート画像に関する患者氏名、及び生年月日が表示されている。領域Ｒ１２５は、ＪＰＥＧデータに基づくＪＰＥＧ画像が表示される領域である。領域Ｒ１２５に含まれる領域Ｒ１２５１には、ＪＰＥＧ画像に関する患者氏名、及び生年月日が表示されている。領域Ｒ１２６は、血糖値グラフデータに基づく血糖値グラフが表示される領域である。領域Ｒ１２６に含まれる領域Ｒ１２６１には、血糖値グラフに関する患者氏名、及び生年月日が表示されている。
【０１３８】
ここで、図１２に示される診療画面において、匿名化を行う旨、及び出力の種類「学会用」が選択されると、例えば、図３に示される医用サーバ２の処理回路２３は、表示されている診療画面の診療情報表示領域Ｒ１２に含まれる一連の画像に対して、匿名化処理を施す。処理回路２３は、匿名化処理の処理結果を医用端末１に送信する。医用端末１は、ディスプレイ１３に、医用サーバ２から受信した処理結果を反映した診療画面をディスプレイ１３に表示する。ディスプレイ１３に表示された診療画面は、例えば、印刷等、所定の出力方法で出力される。
【０１３９】
図１３は、他の実施形態において、図２に示される医用端末１のディスプレイ１３に表示される匿名化処理後の出力用の診療画面の例を示す図である。
【０１４０】
図１３に示される診療画面は、図１２に示される診療情報表示領域Ｒ１２において、医用サーバ２により「学会用」の匿名化処理が施された後の診療画面データに基づく診療画面に含まれる各種診療情報に基づく診療画像を表している。
【０１４１】
具体的には、図１３に示される領域１２１に含まれる領域１２１１は、図１２において患者氏名、及び生年月日が表示されていた領域であるが、領域１２１に表示される１つ目のＤＩＣＯＭ画像に対して非表示処理が施されているため、患者氏名、及び生年月日は表示されていない。また、図１３に示される領域１２２に含まれる領域１２２１は、図１２において患者氏名、及び生年月日が表示されていた領域であるが、領域１２２に表示される２つ目のＤＩＣＯＭ画像に対して非表示処理が施されているため、患者氏名、及び生年月日は表示されていない。
【０１４２】
図１３に示される領域Ｒ１２３に表示されるＥＣＧグラフでは、患者氏名、及び生年月日の初期表示設定がＯＦＦになっているため、患者氏名、及び生年月日は表示されていない。
【０１４３】
図１３に示される領域Ｒ１２４に含まれる領域Ｒ１２４１は、図１２においてレポート画像において患者氏名を表す文字列、及び生年月日を表す文字列が埋め込まれて表示されていた領域であるが、マスク処理により、例えば当該領域に所定のビット演算処理が施され、マスクＭ１２４が形成されている。このマスクＭ１２４により、領域Ｒ１２４１に含まれる患者氏名を表す文字列、及び生年月日を表す文字列を隠すことが可能となる。
【０１４４】
図１３に示される領域Ｒ１２５に含まれる領域Ｒ１２５１は、図１２においてＪＰＥＧ画像において患者氏名を表す文字列、及び生年月日を表す文字列が埋め込まれて表示されていた領域であるが、マスク処理により、例えば当該領域に所定のビット演算処理が施され、マスクＭ１２５が形成されている。このマスクＭ１２５により、領域Ｒ１２５１に含まれる患者氏名を表す文字列、及び生年月日を表す文字列を隠すことが可能となる。
【０１４５】
図１３に示される領域Ｒ１２６に含まれる領域Ｒ１２６１は、図１２において患者氏名、及び生年月日が表示されていた領域であるが、領域Ｒ１２６に表示される血糖値グラフに対して非表示処理が施されているため、患者氏名、及び生年月日は表示されていない。
【０１４６】
このように、他の実施形態に係る医用端末１、及び医用サーバ２によれば、指定された出力の種類に応じ、診療画面に含まれる複数の診療情報に基づく診療画像に対して一括して匿名化処理を実行することができる。また、指定された出力の種類に応じて所望の匿名化レベルの診療画面を出力することが可能となる。なお、他の実施形態に係る医用サーバ２は、例えば、匿名化した複数の診療情報に基づく診療画像を含む診療画面を１枚の画像にしたマスクキャプチャ画像を所定の出力装置に書き出すようにしてもよい。このとき、医用サーバ２が備える処理回路２３は、例えば、匿名化処理を施した複数の画像を１つの統合画像として所定の出力装置に出力する。
【０１４７】
また、上記実施形態では、医用サーバ２の処理回路２３は、例えば、入力インターフェース１２を介して匿名化処理の実行指示を受け付けることを契機として、匿名化処理を実行していたがこれに限定されない。匿名化処理が実行される契機は、例えば、医用端末１が事前登録された院内ネットワーク等に接続できない場合、又は、医用端末１が事前登録された院内ネットワーク以外のネットワークに接続された場合等であってもよい。また、匿名化処理が実行される契機は、事前設定された位置の範囲外に医用端末１が位置した場合、すなわち事前設定された位置の範囲外で診療画面が表示される場合等であってもよい。このとき、医用端末１は、ＧＰＳ（Global Positioning System）等を有し、ＧＰＳを用いて医用端末１が位置する位置情報を取得し、当該医用端末１の位置を認識する。医用サーバ２は、医用端末１から医用端末１の位置情報を取得し、取得した位置情報に基づいて匿名化処理を実行するか否かを判定する。医用サーバ２は、例えば、取得した位置情報に基づく位置が、事前設定された位置の範囲内にない場合に匿名化処理を実行するようにする。また、匿名化処理が実行される契機は、事前登録されたネットワーク外へ診療画面を表す診療画面データを出力する場合等であってもよい。これにより、例えば、ユーザの操作性を損なうことなく、適切なタイミングで匿名化処理を行うことが可能となる。
【０１４８】
また、上記実施形態において、電子カルテシステム４又はＶＮＡシステム５に記憶されている被検体情報には、その項目として、例えば、患者ＩＤ、患者氏名、及び生年月日等が含まれていたがこれに限定されない。被検体情報は、例えば、匿名化処理の要否を示す項目を含んでいてもよい。匿名化処理の要否を示す項目は、匿名化処理を実行すべきである旨を示す「匿名化要」及び匿名化処理を実行しなくて良い旨を示す「匿名化不要」等の値を取り得る。匿名化処理の要否を示す項目の値は、例えば、被検体情報の種類別に設定される。
【０１４９】
また、出力の種類、すなわち表示対象となる画像の用途に応じて匿名化処理の要否を示す項目の値が設定されるようにしてもよい。匿名化処理の要否を示す項目の値は、例えば、部外者から参照される可能性のある「学会用」に対して「匿名化要」が、内部の者に限定して公開される「院内カンファレンス」に対して「匿名化不要」が設定される。このとき、医用サーバ２の処理回路２３は、例えば、図１２に示されるプルダウンボックス１２０２で指定された出力の種類に応じて匿名化処理を実行するか否かを決定する。処理回路２３は、例えば、「学会用」が指定された場合は、匿名化処理を実行し、「院内カンファレンス」が指定された場合は、匿名化処理を実行しない。
【０１５０】
また、上記実施形態において、例えば、図１に示される医用サーバ２、及びＰＡＣＳ４を統合したシステムが、クラウドシステムを利用して構成されていてもよい。
【０１５１】
上記説明において用いた「プロセッサ」という文言は、例えば、ＣＰＵ（Central Processing Unit）、ＧＰＵ(Graphics Processing Unit)、或いは、特定用途向け集積回路（Application Specific Integrated Circuit：ＡＳＩＣ））、プログラマブル論理デバイス（例えば、単純プログラマブル論理デバイス（Simple Programmable Logic Device：ＳＰＬＤ）、複合プログラマブル論理デバイス（Complex Programmable Logic Device：ＣＰＬＤ）、及びフィールドプログラマブルゲートアレイ（Field Programmable Gate Array：ＦＰＧＡ））等の回路を意味する。プロセッサは記憶回路に保存されたプログラムを読み出し実行することで機能を実現する。なお、本実施形態の各プロセッサは、プロセッサごとに単一の回路として構成される場合に限らず、複数の独立した回路を組み合わせて１つのプロセッサとして構成し、その機能を実現するようにしてもよい。さらに、図１、及び２における複数の構成要素を１つのプロセッサへ統合してその機能を実現するようにしてもよい。
【０１５２】
以上説明した少なくとも１つの実施形態によれば、診療情報統合ビューアが実装される医用端末において、ユーザビリティを担保しつつ診療情報に基づく診療画像に含まれる個人情報を匿名化することができる。
【０１５３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１５４】
１、１Ａ…医用端末
２…医用サーバ
３…医用画像管理システム
４…電子カルテシステム
５…ＶＮＡシステム
１１、１１Ａ、２３…処理回路
１２…入力インターフェース
１３…ディスプレイ
１４、２２…メモリ
１５、２１…通信インターフェース
１１１、１１１Ａ、２３１…取得機能
１１３…表示制御機能
１１７、２３２…決定機能
１１９、２３３…匿名化処理機能
１２０１…チェックボックス
１２０２…プルダウンボックス
【図１】
2020009105.tif 000003
【図２】
2020009105.tif 000004
【図３】
2020009105.tif 000005
【図４】
2020009105.tif 000006
【図５】
2020009105.tif 000007
【図６】
2020009105.tif 000008
【図７】
2020009105.tif 000009
【図８】
2020009105.tif 000010
【図９】
2020009105.tif 000011
【図１０】
2020009105.tif 000012
【図１１】
2020009105.tif 000013
【図１２】
2020009105.tif 000014
【図１３】
2020009105.tif 000015